【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
光源手段と、偏向手段と、前記光源手段から出射した光束を前記偏向手段に入射させる入射光学系と、前記偏向手段の偏向面にて偏向走査された光束を被走査面上に結像させる少なくとも１枚の透過型の結像光学素子を備えた結像光学系と、前記透過型の結像光学素子と前記被走査面との間の光路中に少なくとも１枚の反射型光学素子と、を有する光走査装置であって、
前記透過型の結像光学素子は、前記偏向手段の偏向面にて偏向走査された光束が前記透過型の結像光学素子の第一の透過面及び前記透過型の結像光学素子の第二の透過面の順で前記透過型の結像光学素子を通過し、前記反射型光学素子の反射面にて反射された後、前記透過型の結像光学素子の第三の透過面及び前記透過型の結像光学素子の第四の透過面の順で前記透過型の結像光学素子を再通過しており、
前記光束が再通過する少なくとも１枚の透過型の結像光学素子の透過面の主走査断面内の軸上合成パワーをφ、前記少なくとも１枚の反射型光学素子の反射面の主走査断面内の軸上合成パワーをφＭとするとき、
｜φＭ／φ｜＜０．１
なる条件を満足することを特徴とする光走査装置。
但し、前記光束が再通過する透過型の結像光学素子の透過面の主走査断面内の軸上合成パワーは、前記偏向手段の偏向面にて偏向走査された光束が入射する前記第一の透過面及び前記第一の透過面を通過した光束が入射する前記第二の透過面及び前記反射型光学素子の反射面にて反射された光束が再入射する前記第三の透過面及び前記第三の透過面を通過した光束が再入射する前記第四の透過面の４つの光学面の合成パワーである。
【請求項２】
前記反射型光学素子は、全て平面ミラーで構成されていることを特徴とする請求項１に記載の光走査装置。
【請求項３】
前記被走査面上における主走査方向の画像の有効幅をＷ（mm）、前記被走査面から光学的に最も遠い反射型光学素子から前記被走査面までの軸上光束に沿った距離をＬ（mm）、主走査断面内において前記被走査面上の画像端部に入射する光束の主光線と前記被走査面に垂直な法線とのなす角度をα（°）とするとき、
２０°＜α・Ｗ／Ｌ＜１００°
なる条件を満足することを特徴とする請求項１又は２に記載の光走査装置。
【請求項４】
前記光束が再通過する透過型の結像光学素子は１枚であることを特徴とする請求項１乃至３の何れか一項に記載の光走査装置。
【請求項５】
前記光束が再通過する透過型の結像光学素子の前記偏向手段側の面は、前記偏向面で偏向された光束が通過する位置と、前記反射型光学素子の反射面にて反射された光束が通過する位置とで、副走査断面内のパワーが異なる形状より成ることを特徴とする請求項１乃至４の何れか一項に記載の光走査装置。
【請求項６】
前記光束が再通過する透過型の結像光学素子の前記第一の透過面及び前記第四の透過面の主走査断面の形状は一つの関数で定義される形状より成り、前記第二の透過面及び前記第三の透過面の主走査断面の形状も一つの関数で定義される形状より成ることを特徴とする請求項１乃至５の何れか一項に記載の光走査装置。
【請求項７】
前記光束が再通過する透過型の結像光学素子の第一の透過面及び第二の透過面の主走査断面内の軸上合成パワーをφＬ、前記光束が再通過する透過型の結像光学素子の第一の透過面の主走査断面内の軸上パワーをφ１とするとき、
−２．０＜φ１／φＬ＜０．５
なる条件を満足することを特徴とする請求項４に記載の光走査装置。 
【請求項８】
前記光束が再通過する透過型の結像光学素子は、主走査断面内の曲率の符号が有効径内において、反転する面を有していることを特徴とする請求項１乃至７の何れか一項に記載の光走査装置。
【請求項９】
前記反転する面の軸上の形状は、前記偏向手段側に凹形状であることを特徴とする請求項８に記載の光走査装置。
【請求項１０】
主走査断面内における前記結像光学系の後側主平面から前記被走査面までの距離をＳｋ（ｍｍ）、前記結像光学系の主走査断面内の焦点距離をｆ（ｍｍ）とし、
ｍ＝１−Ｓｋ／ｆ
とおくとき、
−０．１＜ｍ＜０．５
なる条件を満足することを特徴とする請求項１乃至９の何れか一項に記載の光走査装置。
【請求項１１】
副走査断面内において、前記入射光学系から出射した光束は、前記偏向手段の偏向面に垂直に入射していることを特徴とする請求項１乃至１０の何れか一項に記載の光走査装置。
【請求項１２】
光学的な距離が前記光束が再通過する透過型の結像光学素子から遠い位置に配置されている反射型光学素子の反射面と該偏向手段の回転軸とが成す副走査断面内における角度をβ（°）とするとき、
２°≦β≦１０°
なる条件を満足することを特徴とする請求項１乃至１１の何れか一項に記載の光走査装置。
【請求項１３】
主走査断面内において、前記偏向手段の偏向面に入射する光束の主光線と前記結像光学系の光軸とのなす角度をγ（°）とするとき、
６０°≦γ≦９０°
なる条件を満足することを特徴とする請求項１乃至１２の何れか一項に記載の光走査装置。
【請求項１４】
請求項１乃至１３の何れか一項に記載の光走査装置と、前記被走査面に配置された感光体と、前記光走査装置で走査された光束によって前記感光体上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項１５】
請求項１乃至１３の何れか一項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００２３
【補正方法】変更
【補正の内容】
【００２３】
請求項１の発明の光走査装置は、光源手段と、偏向手段と、前記光源手段から出射した光束を前記偏向手段に入射させる入射光学系と、前記偏向手段の偏向面にて偏向走査された光束を被走査面上に結像させる少なくとも１枚の透過型の結像光学素子を備えた結像光学系と、前記透過型の結像光学素子と前記被走査面との間の光路中に少なくとも１枚の反射型光学素子と、を有する光走査装置であって、
前記透過型の結像光学素子は、前記偏向手段の偏向面にて偏向走査された光束が前記透過型の結像光学素子の第一の透過面及び前記透過型の結像光学素子の第二の透過面の順で前記透過型の結像光学素子を通過し、前記反射型光学素子の反射面にて反射された後、前記透過型の結像光学素子の第三の透過面及び前記透過型の結像光学素子の第四の透過面の順で前記透過型の結像光学素子を再通過しており、
前記光束が再通過する少なくとも１枚の透過型の結像光学素子の透過面の主走査断面内の軸上合成パワーをφ、前記少なくとも１枚の反射型光学素子の反射面の主走査断面内の軸上合成パワーをφＭとするとき、
｜φＭ／φ｜＜０．１
なる条件を満足することを特徴としている。
但し、前記光束が再通過する透過型の結像光学素子の透過面の主走査断面内の軸上合成パワーは、前記偏向手段の偏向面にて偏向走査された光束が入射する前記第一の透過面及び前記第一の透過面を通過した光束が入射する前記第二の透過面及び前記反射型光学素子の反射面にて反射された光束が再入射する前記第三の透過面及び前記第三の透過面を通過した光束が再入射する前記第四の透過面の４つの光学面の合成パワーである。
【手続補正３】
【補正対象書類名】明細書
【補正対象項目名】００２８
【補正方法】変更
【補正の内容】
【００２８】
請求項５の発明は請求項１乃至４のいずれか１項の発明において、前記光束が再通過する透過型の結像光学素子の前記偏向手段側の面は、前記偏向面で偏向された光束が通過する位置と、前記反射型光学素子の反射面にて反射された光束が通過する位置とで、副走査断面内のパワーが異なる形状より成ることを特徴としている。
【手続補正４】
【補正対象書類名】明細書
【補正対象項目名】００２９
【補正方法】変更
【補正の内容】
【００２９】
請求項６の発明は、請求項１乃至５のいずれか１項の発明において、前記光束が再通過する透過型の結像光学素子の前記第一の透過面及び前記第四の透過面の主走査断面の形状は一つの関数で定義される形状より成り、前記第二の透過面及び前記第三の透過面の主走査断面の形状も一つの関数で定義される形状より成ることを特徴としている。
【手続補正５】
【補正対象書類名】明細書
【補正対象項目名】００５８
【補正方法】変更
【補正の内容】
【００５８】
そして結像レンズ６を通過した光束は、感光ドラム面８上にスポット状に結像され、該光偏向器５を矢印Ａ方向に回転させることによって、該感光ドラム面８上（感光体上）を矢印Ｂ方向（主走査方向）に等速度で光走査している。これにより記録媒体としての感光ドラム面８上に画像記録を行なっている。
【手続補正６】
【補正対象書類名】明細書
【補正対象項目名】００５９
【補正方法】変更
【補正の内容】
【００５９】
本実施例においては上記の如く光偏向器５の偏向面５ａで偏向された光束が結像レンズ６を１度通過した後、平面ミラー7で折り返され、再度入射方向とは逆方向から結像レンズ６を通過（再通過）している。このように構成することにより、本実施例では装置全体のコンパクト化を図っている。
【手続補正７】
【補正対象書類名】明細書
【補正対象項目名】０１０２
【補正方法】変更
【補正の内容】
【０１０２】
本実施例においては、結像レンズを通過した光束を再度結像レンズに入射させる平面ミラーの枚数は、光路中に１枚であるが、本実施例において、平面ミラーの枚数は、１枚に限定されない。
【手続補正８】
【補正対象書類名】明細書
【補正対象項目名】０１０８
【補正方法】変更
【補正の内容】
【０１０８】
本実施例においては結像光学系ＬＢを通過した光束により形成される被走査面８上における主走査方向の画像の有効幅をＷ（mm）、被走査面８から光学的に最も遠い平面ミラー７から該被走査面８までの軸上光束に沿った距離をＬ（mm）、主走査断面内において被走査面（被走査面上）８の画像端部に入射する光束の主光線と被走査面８に垂直な法線とのなす角度をα（°）とするとき、
２０°＜α・Ｗ／Ｌ＜１００° ・・・（２）
なる条件を満足させている。
【手続補正９】
【補正対象書類名】明細書
【補正対象項目名】０１３０
【補正方法】変更
【補正の内容】
【０１３０】
本実施例において光束が２度通過する透過型の結像光学素子は、主走査断面内の曲率の符号が有効径内において、反転する面を有している。このときの反転する面の軸上の形状は、光偏向器５側（偏向手段側）に凹形状である。